(57)【要約】【課題】  透光性部材に付着する粘着系と浮遊系のゴミの双方に有効な画像読み取り装置を提供する。【解決手段】  読み取り部を固定して原稿を搬送しながら透光性部材２１上の読み取り位置で画像読取りを行う画像読み取り装置およびそれを用いた複写機において、コンタクトガラス２１の原稿と相対する面の表面粗さを０．５Ｓ以下に構成するとともに、その面にフッ素コート材を設ける。また、フッ素コート材を真空蒸着によって０．００１μｍ〜０．１μｍの厚さにコートする。【選択図】  図３
2005223878.tif 000002
【特許請求の範囲】
【請求項１】
画像読み取り部と原稿の間に透光性部材を介し、原稿を搬送しながら前記画像読み取り部によって原稿の画像の読み取りを行う画像読み取り装置において、
前記透光性部材の前記原稿と相対する面は、その表面粗さが０．５Ｓ以下に構成されるとともに、フッ素コート材が設けられることを特徴とする画像読み取り装置。
【請求項２】
前記フッ素コート材は、真空蒸着によってコートされることを特徴とする請求項１に記載の画像読み取り装置。
【請求項３】
前記フッ素コート材の厚さを、０．００１μｍ〜０．１μｍにしたことを特徴とする請求項１または請求項２に記載の画像読み取り装置。
【請求項４】
前記透光性部材は、画像読み取り位置が平坦に形成され、前記画像読み取り位置よりも原稿の搬送方向の下流側に凸状の段差を有する形状であることを特徴とする請求項１〜請求項３の何れかに記載の画像読み取り装置。
【請求項５】
前記凸状の段差をテーパ状とし、そのテーパの下部と上部に丸みを持たせていることを特徴とする請求項４に記載の画像読み取り装置。
【請求項６】
前記透光性部材は、前記平坦な形状部分と凸状の段差部分とが一体的に形成されることを特徴する請求項４または請求項５に記載の画像読み取り装置。
【請求項７】
前記透光性部材は、前記平坦な形状部分と凸状の段差部分とが別々に形成され、前記２つの部材が組み合わされてなることを特徴する請求項４または請求項５に記載の画像読み取り装置。
【請求項８】
請求項１〜請求項７の何れかに記載の画像読み取り装置と、前記画像読み取り装置により読み取られた画像データを処理する画像データ処理手段と、前記処理されたデータを記録信号命令として記録部に送る送信手段と、前記記録信号命令に応じて記録媒体に出力を行う記録手段とを有することを特徴とする画像読み取り装置付き記録装置。
【発明の詳細な説明】
【技術分野】
【０００１】
本発明は、ファクシミリ、スキャナ、複写機および複合機等に適用される画像読み取り装置およびその読み取り装置を搭載した記録装置（複写機）に関するものである。
【背景技術】
【０００２】
従来技術では、画像読み取り装置を、シートスルー方式と称して、原稿を副走査方向に移送させ、原稿を固定し読み取り部を副走査させる方式の原稿を固定位置に置かれた読み取り部により読み取る方式のものがある（例えば特許文献１参照）。
【０００３】
この方式によると、原稿は読み取りの際、コンタクトガラスに接触しながら通過するので、原稿の画像面側に付いた粉塵等のコンタクトガラス上への付着が避けられない。この付着物がコンタクトガラスの読み取り位置に付着すると、読み取った画像信号にその影響が現れ、画像を劣化させる。
【０００４】
コンタクトガラス上への粉塵等の付着物は、原稿固定の画像読み取り装置では、黒点として発生するだけであるのに対し、シートスルー方式の読み取り装置の場合、副走査方向に繋がる、いわゆる黒スジの発生となってしまい、その影響は遥かに大きい。
【特許文献１】特開平８−３０７６９５号公報
【発明の開示】
【発明が解決しようとする課題】
【０００５】
異物の種類を大別すると浮遊系と粘着系のものがある。浮遊系の異物はホコリ、紙粉、トナーなどで、粘着系の異物は、原稿についた糊がコンタクトガラスに付着し、原稿を通紙することによって、コンタクトガラスに付着した糊に原稿に乗っているトナーが堆積してできると考えられる。
【０００６】
このようにコンタクトガラスに浮遊系の異物が溜まってしまい、画像劣化に繋がる可能性が高い。
【０００７】
特許文献１に記載されている技術では粘着系の異物をコンタクトガラスに付着させないために、原稿とコンタクトガラスを接触させずに搬送し、画像読み取りを行うようにしているが、紙粉などの浮遊系の異物がコンタクトガラスに溜まってしまい、画像を劣化させてしまう。
【０００８】
本発明は、従来の問題を解決するためになされたもので、上述した実情を考慮して、粘着系と浮遊系のゴミの双方の除去に有効な画像読み取り装置を提供することを目的とする。
【０００９】
より具体的には、このようなゴミ等の異物が、コンタクトガラスに付着しないような構成あるいは構造、また仮にこのようなゴミ等の異物がコンタクトガラスの画像読み取り部に存在しても、簡単に除去できるような構造を提供するものである。
【００１０】
さらに、このようなゴミ等の異物が付着しにくい画像読み取り装置を有することにより、常時高画質記録が維持できる記録装置（複写機）を提供するものである。
【課題を解決するための手段】
【００１１】
本発明の画像読み取り装置は、画像読み取り部と原稿の間に透光性部材を介し、原稿を搬送しながら前記画像読み取り部によって原稿の画像の読み取りを行う画像読み取り装置において、前記透光性部材の前記原稿と相対する面は、その表面粗さが０．５Ｓ以下に構成されるとともに、フッ素コート材が設けられる。
【００１２】
この構成により、透光性部材の前記原稿と相対する面の表面粗さを０．５Ｓ以下にするとともに前記面にフッ素コート材を設けたので、透光性部材の画像読み取り位置に異物、ゴミ等の付着がなく、それらを画像データとして読み取ることがなく、原稿画像を忠実に読み取ることができる。
【００１３】
また、本発明の画像読み取り装置は、前記フッ素コート材は、真空蒸着によってコートされる。
【００１４】
この構成により、フッ素コート材を真空蒸着によってコートしたので、他の手段によってコートするよりも、より異物、ゴミ等の付着を防ぐ効果を上げることができ、原稿画像を忠実に読み取ることができる。
【００１５】
また、本発明の画像読み取り装置は、前記フッ素コート材の厚さを、０．００１μｍ〜０．１μｍにしたものから構成される。
【００１６】
この構成により、フッ素コート材を０．００１μｍ〜０．１μｍの厚さにしたので、防汚効果が得られるコート材厚さの下限を明確にでき、またコンタクトガラスに適用した場合に機能的かつ経済性の面から実用的な画像読み取り装置を提供することができる。
【００１７】
また、本発明の画像読み取り装置は、前記透光性部材が、画像読み取り位置が平坦に形成され、前記画像読み取り位置よりも原稿の搬送方向の下流側に凸状の段差を有するものから構成される。
【００１８】
この構成により、透光性部材の画像読み取り位置を平坦な形状とし、画像読み取り位置より原稿搬送の下流側に凸状の段差を設けたので、異物、ゴミ等の付着を防ぐコート膜の耐久性を上げることができ、長期にわたり原稿画像を忠実に読み取ることができる。
【００１９】
また、本発明の画像読み取り装置は、前記凸状の段差をテーパ状とし、そのテーパの下部と上部に丸みを持たせたものから構成される。
【００２０】
この構成により、凸状の段差をテーパ状とし、そのテーパの下部と上部に丸みを持たせたので、画像読み取り位置に浮遊系の異物が存在しても、原稿搬送時にその原稿の先端部によって簡単に異物を押し出す（除去する）ことができ、原稿画像を忠実に読み取ることができる。
【００２１】
また、本発明の画像読み取り装置は、前記透光性部材が、前記平坦な形状部分と凸状の段差部分とが一体的に形成されるものから構成される。
【００２２】
この構成により、透光性部材の平坦な形状部分と凸状の段差部分とを一体的に形成した部材としたので、画像読み取り位置に浮遊系の異物が存在しても、原稿搬送時にその原稿の先端部によって簡単に異物を押し出す（除去する）ことができ、原稿画像を忠実に読み取ることができる。これに加えて、部品点数を少なくすることができる。
【００２３】
また、本発明の画像読み取り装置は、前記透光性部材が、前記平坦な形状部分と凸状の段差部分とが別々に形成され、前記２つの部材が組み合わされたものから構成される。
【００２４】
この構成により、透光性部材の平坦な形状部分と凸状の段差部分とを別々に形成し、２つの部材を組み合わせたので、画像読み取り位置に浮遊系の異物が存在しても、原稿搬送時にその原稿の先端部によって簡単に異物を押し出す（除去する）ことができ、原稿画像を忠実に読み取ることができる。これに加えて、簡単の部品の組み合わせでこのような構成を実現できる。
【００２５】
また、本発明の画像読み取り装置付き記録装置は、画像読み取り装置と、前記画像読み取り装置により読み取られた画像データを処理する画像データ処理手段と、前記処理されたデータを記録信号命令として記録部に送る送信手段と、前記記録信号命令に応じて記録媒体に出力を行う記録手段とを有するものから構成される。
【００２６】
この構成により、透光性部材の画像読み取り位置に異物、ゴミ等の付着がなく、それらを画像データとして読み取ることがなく、原稿画像を忠実に読み取り、それを記録部に伝達して記録動作を行うため、原稿画像を忠実に複写する記録装置（複写機）を提供することができる。
【発明の効果】
【００２７】
本発明は、透光性部材の画像読み取り位置に異物、ゴミ等の付着がなく、それらを画像データとして読み取ることがないので、原稿画像を忠実に読み取ることができる画像読み取り装置を提供することができる。
【発明を実施するための最良の形態】
【００２８】
以下、本発明の実施の形態について、図面を用いて説明する。
【００２９】
図１〜図５は本発明に係る画像読み取り装置および画像読み取り装置付き記録装置の第１の実施の形態を示す図である。なお、図１は複写機の読み取り周辺を示す構成図である。図２は図１の複写機のコントローラを示すブロック図である。
【００３０】
通常複写機とは、いわゆるカールソンプロセスとして知られる電子写真方式の複写機を指す。すなわち、感光体ドラム（あるいはベルト、シート）上に静電潜像を形成し、それをトナーによって顕像化（現像）し、そのトナー像を紙などに転写し、その後、加圧／加熱して、トナー像を紙等に定着させて画像形成を行う記録原理のものをさしている。
【００３１】
以下に説明する本発明の画像読み取り装置は、このような記録原理の複写機に原稿の読み取り画像情報を好適に作成し、データを送るものである。なお、近年、インクジェット記録原理も技術が完成し、カールソンプロセスとともに２大記録原理として存在している。すなわち、本発明の画像読み取り装置は、カールソンプロセスのみならずインクジェット原理の記録装置、さらにはこの２方式以外の記録原理（例えばサーマルヘッドを利用した感熱記録方式や熱転写方式など）であっても、好適に適用されるものである。よって、本文中、複写機という表現があっても、それは、単にカールソンプロセスによるものを指すのではなく、読み取り装置を有する記録装置全般を指すものである。
【００３２】
ところで、本発明が好適に適用される読み取り周辺の構成は被読み取り原稿束をセットする原稿セット部Ａ、セットされた原稿束から１枚毎に原稿を分離して給送する分離給送部Ｂを含んでいる。
【００３３】
この読み取り周辺の構成は、また、給送された原稿を一次突き当て整合する働きと、整合後の原稿を引き出し搬送する働きのレジスト部Ｃ、搬送される原稿をターンさせて、原稿面を読み取り側（下方）に向けて搬送するターン部Ｄ、原稿の表面画像を、コンタクトガラス２１の下方より読み取りを行わせる第１読み取り搬送部Ｅを含んでいる。
【００３４】
さらに、読み取り周辺の構成には、読み取り後の原稿の裏面画像を読み取る第２読み取り搬送部Ｆ、表裏の読み取りが完了した原稿を機外に排出する排紙部Ｇ、読み取り完了後の原稿を積載保持するスタック部Ｈ、これら搬送動作の駆動を行う駆動部３６〜４０、一連の動作を制御するコントローラ３５が含まれている（図２参照）。
【００３５】
また、第１読み取り搬送部Ｅあるいは読み取り後の原稿の裏面画像を読み取る第２読み取り搬送部Ｆ近傍で読み取られた原稿の画像データは、データ送り手段によって本体制御部へ送られ、２値あるいは多値（階調）記録データとして処理する画像データ処理手段によって適宜処理される。そしてその処理後のデータは送信手段によって記録部（記録手段）に記録信号命令として送られ、記録信号命令に応じて紙等の記録媒体に記録が行われる。
【００３６】
読み取りを行う原稿束１をセットするのは、可動原稿テーブル３を含む原稿テーブル２上で、原稿面を上向きの状態でセットする。さらに原稿束１の巾方向を図示しないサイドガイドによって搬送方向と直行する方向の位置決めを行う。
【００３７】
原稿のセットはセットフィラー４、セットセンサ５により検知されＩ／Ｆ４２により本体制御部４４に送信される。さらに原稿テーブル面に設けられた原稿長さ検知センサ３０または３１（反射型センサ、または、原稿１枚にても検知可能なアクチェータ・タイプのセンサが用いられる）により原稿の搬送方向長さの概略が判定される（少なくとも同一原稿サイズの縦か横かを判断可能なセンサ配置が必要）。
【００３８】
可動原稿テーブル３は底板上昇モータ４０により図に示すａ、ｂ方向に上下動可能な構成になっていて、原稿がセットされたことを前記セットフィラー４および原稿セットセンサ５により検知すると底板上昇モータ４０を正転させて原稿束の最上面がピックアップローラ７と接触するように可動原稿テーブル３を上昇させる。
【００３９】
ピックアップローラ７は、ピックアップモータ３６によりカム機構で図に示すｃ、ｄ方向に動作すると共に、可動原稿テーブル３が上昇しこの可動原稿テーブル３上の原稿上面により押されてｃ方向に上がりテーブル上昇センサ８により上限を検知可能となっている。
【００４０】
操作部４３よりプリントキー（図示せず）が押下され、本体制御部４４からＩ／Ｆ４２を介してＡＤＦ制御部（コントローラ）３５に原稿給紙信号が送信されると、ピックアップローラ７は給紙モータ３７の正転によりコロが回転駆動し、原稿テーブル２上の数枚（理想的には１枚）の原稿をピックアップする。
【００４１】
回転方向は最上位の原稿を給紙口に搬送する方向である。給紙ベルト９は給紙モータ３７の正転により給紙方向に駆動され、リバースローラ１０は給紙モータ３７の正転により給紙と逆方向に回転駆動され最上位の原稿とその下の原稿を分離して、最上位の原稿のみを給紙できる構成となっている。
【００４２】
さらに詳しく説明すると、リバースローラ１０は給紙ベルト９と所定圧で接し、給紙ベルト９との直接接しているとき、または原稿１枚を介して接している状態では給紙ベルト９の回転につられて反時計方向につれ回りする。
【００４３】
原稿が、万が一、２枚以上給紙ベルト９とリバースローラ１０の間に侵入したときは連れ回り力がトルクリミッタのトルクよりも低くなるように設定されており、リバースローラ１０は本来の駆動方向である時計方向に回転し、余分な原稿を押し戻す働きをし、重送が防止される。
【００４４】
給紙ベルト９とリバースローラ１０との作用により１枚に分離された原稿は給紙ベルト９によってさらに送られ、突き当てセンサ１１によって先端が検知されさらに進んで停止しているプルアウトローラ１２に突き当たる。
【００４５】
その後前出の突き当てセンサ１１の検知から所定量定められた距離送られ、結果的には、プルアウトローラ１２に所定量撓みを持って押し当てられた状態で給紙モータ３７を停止させることにより給紙ベルト９の駆動が停止する。
【００４６】
このとき、ピックアップモータ３６を回転させることでピックアップローラを原稿上面から退避させ原稿を給紙ベルトの搬送力のみで送ることにより、原稿先端は、プルアウトローラ１２の上下ローラ対のニップに進入し、先端の整合（スキュー補正）が行われる。
【００４７】
プルアウトローラ１２は、前記スキュー補正機能を有すると共に、分離後にスキュー補正された原稿を中間ローラ１４まで搬送するためのローラで、給紙モータ３７の逆転により駆動される。
【００４８】
また、給紙モータ３７逆転時、プルアウトローラ１２と中間ローラ１４は駆動されるが、ピックアップローラ７と給紙ベルト９は駆動されていない。原稿幅センサ１３は奥行き方向に複数個並べられ、プルアウトローラ１２により搬送された原稿の搬送方向に直行する幅方向のサイズを検知する。
【００４９】
また、原稿の搬送方向の長さは原稿の先端後端を突き当てセンサ１１で読み取ることによりモータパルスから原稿の長さを検知する。プルアウトローラ１２および中間ローラ１４の駆動によりレジスト部Ｃからターン部Ｄに原稿が搬送される際には、レジスト部Ｃでの搬送速度を読み取り搬送部Ｅでの搬送速度よりも高速に設定して原稿を原稿読み取り部（画像読み取り部）に送り込む処理時間の短縮が図られている。
【００５０】
原稿先端が読み取り入口センサ１５により検出されると、読み取り入口ローラ１６の上下ローラ対のニップに原稿先端が進入前に原稿搬送速度を読み取り搬送速度と同速にするために減速を開始する。
【００５１】
それと同時に、読み取りモータ３８を正転駆動して中間ローラ１４、読み取り入口ローラ１６、読み取りローラ１９、読み取り出口ローラ２３、ＣＩＳ出口ローラ２７を駆動する。
【００５２】
中間ローラ１４は給紙モータ３７および読み取りモータ３８の両方と駆動が繋がっており、中間ローラ１４にそれぞれの駆動を伝達するプーリには同じ空転方向の一方向クラッチが入っており、両方のモータが駆動している場合の回転速度は回転数の速い方に追従する（後述の図３および図４参照）。
【００５３】
そのためレジスト部Ｃからターン部Ｄに原稿を送りこむ時は、高速で駆動している給紙モータ３７によって駆動し、給紙モータが停止しているときは読み取りモータ３８によって駆動する（後述の図１２参照）。
【００５４】
原稿の先端をレジストセンサ１７にて検知すると、所定の搬送距離をかけて減速し、読み取り位置２０の手前で一時停止すると共に本体制御部４４にＩ／Ｆ４２を介してレジスト停止信号を送信する。
【００５５】
続いて本体制御部４４より読み取り開始信号を受信すると、レジスト停止していた原稿は読み取り位置に原稿先端が到達するまでに所定の搬送速度に立ち上がるように増速されて搬送される。
【００５６】
読み取りモータのパルスカウントにより検出された原稿先端が画像読み取り部に到達するタイミングで、本体制御部４４に対して第１面の副走査方向有効画像領域を示すゲート信号が第１読み取り部を原稿後端が抜けるまで送信される。
【００５７】
給紙モータ３７の逆転によって原稿は後端を突き当てセンサ１１が検知してから所定量定められた距離送られ、原稿後端がプルアウトローラ１２を抜けた辺りで給紙モータ３７の回転が正転に転じ、プルアウトローラ１２および中間ローラ１４への駆動を停止する。
【００５８】
このときに中間ローラ１４は読み取りモータ３８の駆動によって駆動している。片面原稿読み取りの場合には、読み取り搬送部Ｅを通過した原稿は第２読み取り部を経て排紙部Ｇへ搬送される。この際、排紙センサ２４により原稿の先端を検知すると、排紙モータ３９を正転駆動して排紙ローラ２８を反時計方向に回転させる。
【００５９】
また、排紙センサ２４による原稿の先端検知からの排紙モータパルスカウントにより、原稿後端が排紙ローラ２８の上下ローラ対のニップから抜ける直前に排紙モータ駆動速度を減速させて、排紙トレイ２９上に排出される原稿が飛び出さないように制御される。
【００６０】
両面原稿読み取りの場合には、排紙センサ２４にて原稿先端を検知してから読み取りモータのパルスカウントにより第２読み取り部２５に原稿先端が到達するタイミングで第２読み取り部２５に対してＤＦ制御部３５から副走査方向の有効画像領域を示すゲート信号が読み取り部を原稿後端が抜けるまで送信される。
【００６１】
第２読み取りローラ２６は第２読み取り部２５における原稿の浮きを抑えると同時に、第２読み取り部２５におけるシェーディングデータを取得するための基準白部を兼ねるものである。
【００６２】
なお、図１には、さらに底板ホームポジションセンサ６、テーブル上昇センサ８、原稿幅センサ１３、読み取り入口センサ１５、および排紙センサ２４がそれぞれ配置されている。
【００６３】
ここで本発明のより特徴的な点について説明する。図３〜図５は、上記構成における本発明の原稿搬送を行いながら、原稿読み取りを行う時の原稿移動の様子を示したものである。図３は原稿の搬送状態における原稿先端を示す概略図であり、図４は原稿の搬送状態における原稿中央を示す概略図であり、図５は原稿の搬送状態における原稿後端を示す概略図である。
この図より明らかなように、本発明においては、原稿はコンタクトガラス２１面に接触しながら搬送される。その際原稿からは、紙の成分であるセルロース繊維や、タルク、クレー、炭酸カルシウム、二酸化チタンなどの粒子サイズが０．５〜１０μｍのてん料粒子、さらには紙表面に塗工したカオリン（Ａｌ２Ｏ３・２ＳｉＯ２・２Ｈ２Ｏ）、炭酸カルシウム（ＣａＣＯ３）、サチンホワイト（３ＣａＯ・Ａｌ２Ｏ３・３ＣａＳＯ４・３１〜３２Ｈ２Ｏ）などの粒子サイズが０．５〜１０μｍの表面改質粒子などが、紙粉として脱落し、このコンタクトガラス２１面に付着する。
【００６４】
あるいは原稿面に付着しているトナー微粉や、切り貼り原稿作成時に使用したのりなどの粘着質の物質もこの面に付着する。さらには、空気中に浮遊する塵埃等の異物が付着したり、不用意に手を触れて、汗、脂等が指紋状に付着することも多々ある。そして上記トナー微粉、のり、汗、脂等は、他の粘着性がない異物をコンタクトガラス２１面に付着させるというさらに悪い影響を及ぼすものである。
【００６５】
なお、本実施の形態においては、原稿読み取り部と原稿の間の部材を便宜上コンタクトガラスと記して説明するが、本発明はガラスのみに適用されるものではないため、より厳密な表現をするならば、原稿読み取り部と原稿の間の部材は、光を透過する部材、すなわち透光性部材である。つまり、ガラスも含めアクリル樹脂等のプラスチック材料等、光を透過する部材、すなわち透光性部材全般を、便宜上コンタクトガラスと表現している。
【００６６】
ところで、通常、複写機等で原稿を固定とし、原稿読み取り部を移動させて原稿読み取りを行う場合、コンタクトガラス面の汚染が最終画像品質に与える影響は、その汚染部分のみ黒いスポット状の画像劣化となる。しかしながら、本実施の形態のように、原稿読み取り部を固定とし、原稿を移動させて原稿読み取りを行う場合は、コンタクトガラス２１面に存在する１個のスポット状の汚染であっても、副走査方向に繋がる、いわゆる黒スジの発生となってしまい、単なる黒いスポット状の画像劣化ではなく、その影響ははるかに大きい。
【００６７】
このような不具合を解消するために、本実施の形態では、このコンタクトガラス２１の原稿と相対する面ができるだけ汚染されないようにすることを検討した。具体的には、このコンタクトガラス２１の原稿と相対する面の表面改質である。
【００６８】
例えば、一般にフッ素コート材には「くっつきにくい」「水や油をはじく」「よく滑る」等の特性があることが知られている。よって、これらの特性を利用して、防水スプレーなどが実用化されているが、本実施の形態では、これらの特性は、防水だけではなく、汚れ防止にも効果があるのではないかと考えた。
【００６９】
フッ素コート材として具体的には、ポリテトラフルオロエチレン、ポリフッ化ビニリデン、ポリフッ化ビニル、ポリクロロトリフルオロエチレン、テトラフルオロエチレン−ヘキサフルオロプロピレンコポリマー、エチレン−テトラフルオロエチレンコポリマー、エチレン−クロロトリフルオロエチレンコポリマー、テトラフルオロエチレン−パーフルオロアルキルビニルエーテルコポリマー、パーフルオロシクロポリマー、ビニルエーテル−フルオロオレフィンコポリマー、ビニルエステル−フルオロオレフィンコポリマー、テトラフルオロエチレン−ビニルエーテルコポリマー、クロロトリフルオロエチレン−ビニルエーテルコポリマー、テトラフルオロエチレンウレタン架橋体、テトラフルオロエチレンエポキシ架橋体、テトラフルオロエチレンアクリル架橋体、テトラフルオロエチレンメラミン架橋体等フルオロ基を含有するコート材が挙げられる。
【００７０】
また、別の例としてシリコーンコート材も比較的「油をはじく」等の特性があることが知られている。
【００７１】
シリコーンコート材として具体的には、メチルトリメトキシシラン、メチルトリエトキシシラン、メチルトリクロルシラン、メチルトリブロムシラン、メチルトリイソプロポキシシラン、メチルトリｔ−ブトキシシラン、エチルトリメトキシシラン、エチルトリエトキシシラン、エチルトリクロルシラン、エチルトリブロムシラン、エチルトリイソプロポキシシラン、エチルトリｔ−ブトキシシラン、ｎ−プロピルトリメトキシシラン、ｎ−プロピルトリエトキシシラン、ｎ−プロピルトリクロルシラン、ｎ−プロピルトリブロムシラン、ｎ−プロピルトリイソプロポキシシラン、ｎ−プロピルトリｔ−ブトキシシラン、ｎ−ヘキシルトリメトキシシラン、ｎ−ヘキシルトリエトキシシラン、ｎ−ヘキシルトリクロルシラン、ｎ−ヘキシルトリブロムシラン、ｎ−ヘキシルトリイソプロポキシシラン、ｎ−ヘキシルトリｔ−ブトキシシラン、ｎ−デシルトリメトキシシラン、ｎ−デシルトリエトキシシラン、ｎ−デシルトリクロルシラン、ｎ−デシルトリブロムシラン、ｎ−デシルトリイソプロポキシシラン、ｎ−デシルトリｔ−ブトキシシラン、ｎ−オクタトリメトキシシラン、ｎ−オクタトリエトキシシラン、ｎ−オクタトリクロルシラン、ｎ−オクタトリブロムシラン、ｎ−オクタトリイソプロポキシシラン、ｎ−オクタトリｔ−ブトキシシラン、フェニルトリメトキシシラン、フェニルトリエトキシシラン、フェニルトリクロルシラン、フェニルトリブロムシラン、フェニルトリイソプロポキシシラン、フェニルｔ−ブトキシシラン、ジメチルジクロルシラン、ジメチルジブロムシラン、ジメチルジメトキシシラン、ジメチルジエトキシシラン、ジフェニルジクロルシラン、ジフェニルジブロムシラン、ジフェニルジメトキシシラン、ジフェニルジエトキシシラン、フェニルメチルジクロルシラン、フェニルメチルジブロムシラン、フェニルメチルジメトキシシラン、フェニルメチルジエトキシシラン、ビニルトリクロルシラン、ビニルトリブロムシラン、ビニルトリメトキシシラン、ビニルトリエトキシシラン、ビニルトリイソプロポキシシラン、ビニルトリｔ−ブトキシシラン、トリフルオロプロピルトリクロルシラン、トリフルオロプロピルトリブロムシラン、トリフルオロプロピルトリメトキシシラン、トリフルオロプロピルトリエトキシシシラン、トリフルオロプロピルトリイソプロポキシシラン、トリフルオロプロピルトリｔ−ブトキシシラン、γ−グリシドキシプロピルメチルジメトキシシラン、γ−グリシドキシプロピルメチルジエトキシシラン、γ−グリシドキシプロピルトリメトキシシラン、γ−グリシドキシプロピルトリエトキシシラン、γ−グリシドキシプロピルトリイソプロポキシシラン、γ−グリシドキシプロピルトリｔ−ブトキシシラン、γ−メタアクリロキシプロピルメチルジメトキシシラン、γ−メタアクリロキシプロピルメチルジエトキシシラン、γ−メタアクリロキシプロピルトリメトキシシラン、γ−メタアクリロキシプロピルトリエトキシシラン、γ−メタアクリロキシプロピルトリイソプロポキシシラン、γ−メタアクリロキプロピルトリｔ−ブトキシシラン、γ−アミノプロピルメチルジメトキシシラン、γ−アミノプロピルメチルジエトキシシラン、γ−アミノプロピルトリメトキシシラン、γ−アミノプロピルトリエトキシシラン、γ−アミノプロピルトリイソプロポキシシラン、γ−アミノプロピルトリｔ−ブトキシシラン、γ−メチルカプトプロピルメチルジメトキシシラン、γ−メルカプトプロピルメチルジエトキシシラン、γ−メルカプトプロピルトリメトキシシラン、γ−メルカプトプロピルトリエトキシシラン、γ−メルカプトプロピルトリイソプロポキシシラン、γ−メルカプトプロピルトリｔ−ブトキシシラン、β−（３、４−エポキシシクロヘキシル）エチルトリメトキシシラン、β−（３、４−エポキシシクロヘキシル）エチルトリエトキシシランの加水分解、脱水縮重合物を含むコート材が挙げられる。
【００７２】
さらに、別の例として光触媒性酸化物の層を表面改質層として設けることも考えられる。例えば光触媒性酸化物としては、ＺｎＯ、ＳｎＯ２、ＳｒＴｉＯ３、ＷＯ３、Ｂｉ２Ｏ３、Ｆｅ２Ｏ３のような金属酸化物があるが、チタニア（ＴｉＯ２）が最も好ましい。チタニアは、無害であり、化学的に安定であり、かつ、安価に入手可能である。さらにチタニアはバンドギャップエネルギが高く、従って、光励起には紫外線を必要とし、光励起の過程で可視光を吸収しないので、補色成分による発色が起こらない。したがって、本実施の形態のようなコンタクトガラスやレンズや鏡のような透明部材にコーティングするのに特に適している。
【００７３】
さらに他の表面改質の方法としては、プラズマ処理による撥水性、防汚性の付与手段も考えられる。これは、１０−２〜１０ｍｍＨｇの低圧下の気体に数１０Ｗの電気を放電させてできるプラズマ状態の中にコンタクトガラス等の材料を置いて、その表面を改質することができる。
【００７４】
本実施の形態においては、このような情報をもとにコンタクトガラスに以下のような表面改質を行い、どの手段が汚れ防止効果に有効に適用できるかを検討した。
【００７５】
評価実験に使用したのは、表面粗さを０．５Ｓ以下とした（サンプルは０．５Ｓ〜０．１Ｓに入っているもの）フロートガラス（日本板硝子株式会社製  化学強化ガラス  ＦＬ３．２）を用いた。
【００７６】
ここで表面粗さをこの値としたのは、以下の２つの理由による。第１の理由は、表面粗さが０．５Ｓを超えるものでは、汚れが凹部に入り込んでしまうと除去できないという問題があるからである。前述のように、本実施の形態で問題となる汚れの例として紙のてん料粒子や表面改質粒子などがあげられるがこれらの粒子は、０．５〜１０μｍの大きさである。その場合、ガラス面の表面粗さが０．５Ｓより大である場合には、その凹凸の凹部にこれらの粒子（その大きさの下限値である０．５μｍ程度の粒子）が入り込み、容易には取れなくなる。
【００７７】
実際に、表面粗さを変えたガラスを準備し、炭酸カルシウム（ＣａＣＯ３）微粒子を散布しその後それをブロワーで吹き飛ばした場合の炭酸カルシウム（ＣａＣＯ３）微粒子の残留状況を調べてみたところ、表面粗さが０．５Ｓ〜０．１Ｓのものでは、炭酸カルシウム（ＣａＣＯ３）微粒子の残留は認められなかったのに対して、表面粗さが０．５Ｓを超える１Ｓのものでは、ブロワーで吹き飛ばしても十分に除去することができなかった。
【００７８】
第２の理由は、表面粗さが０．５Ｓより大である場合（例えば１Ｓ以上）、目視で鏡面状態が確認できず、表面にくもりが見られたからである。つまり透光性に支障をきたし、コンタクトガラスとして使用する場合、画像読み取り性能に悪影響を及ぼすと考えられる。一方、０．５Ｓあるいはそれ以下であれば、少なくとも目視においてはほぼ鏡面状態が得られ、光学素子として十分な光の透過率が得られている。
【００７９】
本実施の形態ではこのガラス面に、それぞれ以下の表面改質を施したサンプル１〜１９（サンプル１９は未処理）を用い、紙粉を散布しその後それをブロワーで吹き飛ばした場合の紙粉の残留状況（防汚効果）、トナーを散布しその後それをブロワーで吹き飛ばした場合のトナーの残留状況（防汚効果）、指紋をつけた場合の汚れの付着状況（防汚効果）を評価した。そしてさらにその汚れのついたサンプルを実際の電子写真デジタル複写機の原稿読み取り部のコンタクトガラスとして使用し、画像劣化を生じさせるかどうか（実用性評価）を評価した。結果を以下に示す。
［サンプル］
・サンプル１...ＦＧ−５０１０（株式会社フロロテクノロジー製フッ素コート材）を約０．１μｍスプレーコートしたもの
・サンプル２...ＦＧ−５０１０（株式会社フロロテクノロジー製フッ素コート材）を約０．０５μｍスピンコートしたもの
・サンプル３...ＦＧ−７０００（株式会社フロロテクノロジー製フッ素コート材）を約０．１μｍスプレーコートしたもの
・サンプル４...ＦＧ−７０００（株式会社フロロテクノロジー製フッ素コート材）を約０．０５μｍスピンコートしたもの
・サンプル５...オプツールＤＳＸ（ダイキン工業株式会社製フッ素コート材）を約０．１μｍスプレーコートしたもの
・サンプル６...オプツールＤＳＸ（ダイキン工業株式会社製フッ素コート材）を約０．１μｍスピンコートしたもの
・サンプル７...オプツールＤＳＸ（ダイキン工業株式会社製フッ素コート材）を約０．０００５μｍ真空蒸着したもの
・サンプル８...オプツールＤＳＸ（ダイキン工業株式会社製フッ素コート材）を約０．００１μｍ真空蒸着したもの
・サンプル９...オプツールＤＳＸ（ダイキン工業株式会社製フッ素コート材）を約０．０５μｍ真空蒸着したもの
・サンプル１０...オプツールＤＳＸ（ダイキン工業株式会社製フッ素コート材）を約０．１μｍ真空蒸着したもの
・サンプル１１...オプツールＤＳＸ（ダイキン工業株式会社製フッ素コート材）を約１μｍ真空蒸着したもの
・サンプル１２...オプツールＤＳＸ（ダイキン工業株式会社製フッ素コート材）を約０．０５μｍスパッタリングしたもの
・サンプル１３...オプツールＤＳＸ（ダイキン工業株式会社製フッ素コート材）を約０．１μｍスパッタリングしたもの
・サンプル１４...シリコーンスプレーＫＦ９６ＳＰ（信越化学工業株式会社製シリコーンコート材）を約０．１μｍスプレーコートしたもの
・サンプル１５...シリコーンスプレー（呉工業株式会社製シリコーンコート材）を約０．１μｍスプレーコートしたもの
・サンプル１６...αシリコーンスプレー（トラスコ中山株式会社製シリコーンコート材）を約０．１μｍスプレーコートしたもの
・サンプル１７...バルチタン５６０３（日本パーカライジング株式会社製チタン系スプレー）を約０．１μｍスプレーコートしたもの
・サンプル１８...プラズマ処理（１０−２ｍｍＨｇのアルゴンガス中に３０Ｗで放電させ、１８０秒放置）したもの
・サンプル１９...未処理
［評価結果］
紙粉散布    トナー散布    指紋付着    総合評価
サンプル１          △            △          ○          良
サンプル２          △            △          ○          良
サンプル３          ○            △          △          良
サンプル４          ○            △          △          良
サンプル５          ○            △          ○          良
サンプル６          ○            △          ○          良
サンプル７          △            △          ×          不良
サンプル８          ◎            ◎          ○          優秀
サンプル９          ◎            ◎          ○          優秀
サンプル１０        ◎            ◎          ○          優秀
サンプル１１        ―            ―          ―          ―
サンプル１２        ○            ○          ○          秀
サンプル１３        ○            ○          ○          秀
サンプル１４        △            △          ×          不良
サンプル１５        △            △          ×          不良
サンプル１６        △            △          ×          不良
サンプル１７        △            △          ×          不良
サンプル１８        ○            △          ×          不良
サンプル１９        ×            ×          ×          不良
［評価基準］
◎：防汚効果大、実用的
○：防汚効果が認められる、実用上問題なし
△：防汚効果は認められるが、実用的には問題が生じる場合もある
×：防汚効果ほとんどなし、実用性に難あり
―：コート材が厚すぎ光透過しないため評価せず
総合評価結果は３項目の評価を踏まえ、実用に供するかを示しており、
優秀、秀、良、不良の順で実用面への良好度を表現している（優秀が最良）。
【００８０】
以上の結果より、フッ素コート材による表面改質の防汚効果が高いことがわかり、実用性が高いことがわかった。さらにまた真空蒸着により成膜したものが、より防汚効果が高いこともわかった。またその厚さは、真空蒸着によって形成した０．０００５μｍというような厚さではあまり効果はないが、０．００１μｍ以上の厚さとすれば充分な防汚効果が得られることがわかった。
【００８１】
なお、スパッタリングによって形成したものも良好な防汚効果を示したが、真空蒸着によるものの方が、より効果的な防汚効果を示した。
【００８２】
とりわけダイキン工業株式会社製フッ素コート材であるオプツールＤＳＸを真空蒸着したものが最も良好な防汚効果を示した。なお、真空蒸着によって０．００１μｍ以上の厚さとすれば効果があるが、その厚さの上限については、経済性、生産性、さらには、コンタクトガラスとしての実用性を考慮して、０．１μｍ程度、つまり、下限の１００倍程度にとどめておくべきである。
【００８３】
図３は平面、平坦形状のコンタクトガラスでの原稿の搬送状態における原稿先端を示す概略図である。このコンタクトガラスの表面（原稿搬送面）には、上記検討結果で最大の効果が得られたダイキン工業株式会社製フッ素コート材であるオプツールＤＳＸを真空蒸着によって約０．０２μｍ形成している。
【００８４】
図４はこのような平面、平坦形状のコンタクトガラスでの原稿の搬送状態における原稿中央を示す概略図である。図５はこのような平面、平坦形状のコンタクトガラスでの原稿の搬送状態における原稿後端を示す概略図である。
【００８５】
本実施の形態ではこのように原稿がコンタクトガラスに接触するため、紙粉やトナー等が原稿表面から離脱するが、離脱した紙粉やトナー等、あるいは空気中に浮遊する異物等も、上記検討した表面改質の効果によって、コンタクトガラスに付着したり残ったりせず、原稿の移動とともに一緒に運ばれてしまう。よって、これらの異物が画像読み取り装置によって異物画像情報として読み取られることがなく、ファクシミリの記録品質、あるいは複写機および複合機等の画像形成品質を劣化させることがなく、高品質な画質が維持される。
【００８６】
以上、本実施の形態では、コンタクトガラス２１の原稿と相対する面の表面粗さを０．５Ｓ以下にするとともに、この相対する面にフッ素コート材を設けたので、コンタクトガラス２１の原稿読み取り位置に異物、ゴミ等の付着がなく、それらを画像データとして読み取ることがないので、原稿画像を忠実に読み取ることができる
また、本実施の形態では、フッ素コート材を真空蒸着によってコートしたので、他の手段によってコートするよりも、より異物、ゴミ等の付着を防ぐ効果を上げることができ、原稿画像を忠実に読み取ることができる。
【００８７】
また、本実施の形態では、フッ素コート材を０．００１μｍ〜０．１μｍの厚さにしたので、防汚効果が得られるコート材厚さの下限を明確にでき、またコンタクトガラス２１に適用した場合に機能的かつ経済性の面から実用的な画像読み取り装置を提供することができる。
【００８８】
図６〜図１３は本発明に係る画像読み取り装置および画像読み取り装置付き記録装置の第２の実施の形態を示す図であり、第１の実施の形態と同様の構成に同一番号を付して説明を省略する。
【００８９】
図６は原稿搬送の下流側に凸形状の段差部分２１ａを設けたコンタクトガラスでの原稿の搬送状態における原稿先端を示す概略図である。図７は凸形状の段差２１ａを設けたコンタクトガラスでの原稿の搬送状態における原稿先端を示す概略図である。
【００９０】
図８は段差を設けたコンタクトガラスでの原稿の搬送状態における原稿中央を示す概略図である。図９は段差を設けたコンタクトガラスでの原稿の搬送状態における原稿後端を示す概略図である。
【００９１】
このように読み取り位置の下流側に段差２１ａを設けることにより、原稿の先端と後端のみ接触する状態で搬送できるため、接触力が低減し、表面改質のためのコーティング膜の耐久性を上げることができる（図６〜９参照）。
【００９２】
図１０は原稿先端による浮遊系の異物の第１の除去段階を示す概略図である。図１１は原稿先端による浮遊系の異物の第２除去段階を示す概略図である。図１２は原稿先端による浮遊系の異物の第３の除去段階を示す概略図である。図１３は原稿後端による浮遊系の異物の除去を示す概略図である。
【００９３】
また、段差２１ａの形状はテーパ状にし、そのテーパの下部と上部に丸みを持たせているため、読み取り位置に浮遊系の異物（紙粉など）があっても、浮遊系の異物を原稿の先端で押し出すことができる（図１０〜図１２参照）。
【００９４】
本実施の形態においては、前記説明のように表面粗さが０．５Ｓ以下のコンタクトガラスを用い、さらに表面改質を行っているので、その表面に異物などが付着しにくい表面特性を有している。すなわち、原稿から紙のてん料粒子や表面改質粒子などの脱落があったり、あるいは浮遊異物が存在したりしても、このような異物は、コンタクトガラス表面に付着あるいは粘着しているというよりも、単にそこに乗っているという状態で存在する。すなわち、表面改質の効果によって密着力が働いていない状態で異物が存在しているので、図１３のように、原稿の後端であっても、異物が原稿にひきずられて、読み取り位置から除去できるという効果がある。
【００９５】
読み取り位置より下流側に段差２１ａを設けたコンタクトガラス２１の製作方法は以下の方法によって可能である。
【００９６】
すなわち、平面なコンタクトガラス２１に、テーパの下部と上部に丸みをもった段差部材２１ｂを貼り付ける（別体構成）。例えば、平面（平坦）なコンタクトガラス２１とテーパの下部と上部に丸みをもった段差部材２１ｂをそれぞれ２つのガラス部材によって独立に形成し、両者をＵＶ硬化型の接着剤によって貼りあわせることによって実現できる。あるいは、これらの部材はアクリル樹脂等の透明樹脂部材で形成してもよい。このような構成とすると、最終的に作られる形状が複雑な形状であっても簡単の部品の組み合わせでこのような構成を実現できる。
【００９７】
あるいは、このテーパ状になった凸形状部分を有するコンタクトガラス２１を透光性ガラスの一体成型、透光性プラスチック樹脂の一体成型で形成してもよい（一体構成）。このような構成とすると、部品点数を少なくできるので、装置組み立てが容易になり、組み立て時間も短縮できる。
【００９８】
また、コンタクトガラス２１の段差２１ａの形状はテーパ状で、そのテーパの下部と上部に丸みを持たせているため、読み取り位置に浮遊系の異物（紙粉など）があっても、浮遊系の異物を原稿の先端で押し出すことができ、原稿の後端でも、コンタクトガラス２１と接触するため、浮遊系異物を読み取り位置から除去し、異常画像を無くすことができる。このように形状に丸みを持たせるには、成型時にそのような型形状にしておいてもよいし、研削、研摩等の機械加工手段によってもよい。
【００９９】
さらに、コンタクトガラスにおいては、段差部材２１ｂ（図１０参照）と平面なコンタクトガラス２１を一体化しているので、精度良く、強度の高いコンタクトガラス２１にすることができる。
【０１００】
本実施の形態のコンタクトガラスにおいては複雑な処理を行わず、平面なコンタクトガラス２１に、段差部材２１ｂを貼り付けるだけなので、コスト面で安価に製作できる。
【産業上の利用可能性】
【０１０１】
以上のように、本発明に画像読み取り装置および画像読み取り装置付き記録装置は、透光性部材の画像読み取り位置に異物、ゴミ等の付着がなく、それらを画像データとして読み取ることがないので、原稿画像を忠実に読み取ることができるという効果を有し、ファクシミリ、スキャナ、複写機および複合機等に適用される画像読み取り装置およびその読み取り装置を搭載した記録装置（複写機）等として有用である。
【図面の簡単な説明】
【０１０２】
【図１】複写機の読み取り周辺を示す構成図である。
【図２】図１の複写機のコントローラを示すブロック図である。
【図３】平面なコンタクトガラスでの原稿の搬送状態における原稿先端を示す概略図である。
【図４】平面なコンタクトガラスでの原稿の搬送状態における原稿中央を示す概略図である。
【図５】平面なコンタクトガラスでの原稿の搬送状態における原稿後端を示す概略図である。
【図６】本発明を適用した画像読み取り装置の要部の構成であり、段差を設けたコンタクトガラスでの原稿の搬送状態における原稿先端を示す概略図である。
【図７】段差を設けたコンタクトガラスでの原稿の搬送状態における原稿先端を示す概略図である。
【図８】段差を設けたコンタクトガラスでの原稿の搬送状態における原稿中央を示す概略図である。
【図９】段差を設けたコンタクトガラスでの原稿の搬送状態における原稿後端を示す概略図である。
【図１０】原稿先端による浮遊系の異物の第１の除去段階を示す概略図である。
【図１１】原稿先端による浮遊系の異物の第２の除去段階を示す概略図である。
【図１２】原稿先端による浮遊系の異物の第３の除去段階を示す概略図である。
【図１３】原稿後端による浮遊系の異物の除去を示す概略図である。
【符号の説明】
【０１０３】
１  原稿（原稿束）
２０  読み取り位置
２１  コンタクトガラス（透光性部材）
２１ａ  段差
２１ｂ  段差部材
２５  第２読み取り部
３５  コントローラ
４３  操作部
４４  本体制御部
【図１】
2005223878.tif 000003
【図２】
2005223878.tif 000004
【図３】
2005223878.tif 000005
【図４】
2005223878.tif 000006
【図５】
2005223878.tif 000007
【図６】
2005223878.tif 000008
【図７】
2005223878.tif 000009
【図８】
2005223878.tif 000010
【図９】
2005223878.tif 000011
【図１０】
2005223878.tif 000012
【図１１】
2005223878.tif 000013
【図１２】
2005223878.tif 000014
【図１３】
2005223878.tif 000015